(57)【特許請求の範囲】
【請求項１】
トイレ用貯水タンクの給水受皿の上面に載置される薬剤供給具用容器であって、
容器内に設けられ、薬剤を載置する載置部と、
容器内において外側から内側に向かう方向に沿って延在し、前記載置部に載置された前記薬剤と接触するように水を流通させる導水路と、
前記導水路の外側に設けられ、前記給水受皿の上面を流れる水を容器内へ取り入れるための取水口と、
前記導水路の内側に設けられ、前記薬剤に接触した水を外部へ排水するための排水口と、を備え、
前記取水口は、前記給水受皿の前記上面を流れる水の少なくとも一部が直接流れ込まないように、前記給水受皿の前記上面を流れる水に対して離間する、容器の下端から５ｍｍ以上高い高さ位置に設けられており、
前記取水口の辺縁部には、前記給水受皿の前記上面を流れる水を前記取水口内へ取り込むための取水壁が下方に突出するように設けられ、
前記取水壁は、前記取水口の横幅全域に設けられていること、を特徴とする薬剤供給具用容器。
【請求項２】
容器は、上方に開口する椀状外形を呈し、
前記取水壁が下方に突出するように設けられた前記取水口は、上下方向における当該容器の中央部下寄り位置に設けられていること、を特徴とする請求項１に記載の薬剤供給具用容器。
【請求項３】
前記載置部は、容器内において上方に隆起する底面から成り、且つ上方から見て中央から放射状に延在するように設けられた複数の延在部を有し、
前記導水路は、隣接する一対の前記延在部間に画設された谷部により構成されていること、を特徴とする請求項１又は２記載の薬剤供給具用容器。
【請求項４】
上方から見て前記延在部の外側に隣接し且つ前記取水口よりも内側の位置には、上方に突出する壁部が設けられていること、を特徴とする請求項３記載の薬剤供給具用容器。
【請求項５】
複数の前記延在部は、上方から見て中央に設けられた前記排水口から放射状に延在し、
前記載置部は、前記排水口上に設けられ複数の前記延在部のうち一部の延在部をその内側で連結する連結部を有すること、を特徴とする請求項３又は４記載の薬剤供給具用容器。
【請求項６】
前記取水壁は、その下端が前記給水受皿の前記上面に接触するように下方へ突出していること、を特徴とする請求項１〜５の何れか一項記載の薬剤供給具用容器。
【発明の詳細な説明】
【技術分野】
【０００１】
本発明は、トイレ用貯水タンクの給水受皿の上面に載置される薬剤供給具用容器に関する。
【背景技術】
【０００２】
従来、トイレ用貯水タンクの給水受皿の上面に載置される薬剤供給具用容器としては、例えば特許文献１〜３に記載されたものが知られている。このような薬剤供給具用容器では、給水受皿に供給される水を上部や側面又は底部から容器内へ取り入れ、この水を容器内で薬剤に接触させて薬剤を溶出させる。そして、薬剤の溶液を水とともにトイレ用貯水タンクへと排出し、トイレ用貯水タンク内に貯留させる。これにより、トイレ洗浄時において、溶液を含んだ水が便器内へと供給される。
【０００３】
特に、特許文献１に記載された水洗トイレ用芳香洗浄容器では、上部から取り込んだ水が直接薬剤に接触しないように、下部拡径のテーパ状カップが薬剤上部に設けられている。この水洗トイレ用芳香洗浄容器においては、取水口から容器内部に取り入れられた水は、薬剤を取り囲むガイドリングに沿って拡がり、ガイドリングの切欠からガイドリング内へ供給される。供給された水は、薬剤の下面に接触して当該薬剤を溶融させた後、中央の排水口から排出される。
【０００４】
また、特許文献２に記載された水洗トイレ用薬剤供給具では、蓋体に設けられた流入口と薬剤載置部の外周に設けられた流入口とから水が取り入れられ、この水が薬剤に直接接触して薬剤を溶解させる。薬剤が溶解された水は、下るように傾斜する傾斜面を通過して中央の流出口から排出される。
【０００５】
また、特許文献３に記載された水洗トイレ用の薬剤容器では、上部容器の取水口を薬剤の上方から外れた位置に設け、取水口から取り入れた水が薬剤に直接降りかからないようにされている。また、この水洗トイレ用の薬剤容器では、調整排出口が設けられており、取り入れられた過剰な水が調整排出口から排出される。さらにまた、薬剤載置部が下部容器の底面と同一面状に連接されており、取り入れられた水を薬剤とスムーズに接触させることが図られている。
【先行技術文献】
【特許文献】
【０００６】
【特許文献１】実開平６−８７４７９号公報
【特許文献２】特開平８−２７００４１号公報
【特許文献３】特開２００２−１６７８３９号公報
【発明の概要】
【発明が解決しようとする課題】
【０００７】
しかし、上述したような薬剤供給具用容器では、例えば上部から水を取り入れる場合、水と薬剤との接触面積が大きくなることから、容器内に流入する水が過剰となり、薬剤の溶出量が過大になるおそれがある。一方、例えば容器側面から水を容器内に取り入れる場合、充分量の水を容器内に流入させることが困難となり、充分量の薬剤を溶出することが困難となるおそれがある。
【０００８】
本発明は、このような事情に鑑みてなされたものであり、必要充分な量の水を容器内に取り入れることができる薬剤供給具用容器を提供することを課題とする。
【課題を解決するための手段】
【０００９】
上記課題を解決するために、本発明に係る薬剤供給具用容器は、トイレ用貯水タンクの給水受皿の上面に載置される薬剤供給具用容器であって、容器内に設けられ、薬剤を載置する載置部と、容器内において外側から内側に向かう方向に沿って延在し、載置部に載置された薬剤と接触するように水を流通させる導水路と、導水路の外側に設けられ、給水受皿の上面を流れる水を容器内へ取り入れるための取水口と、導水路の内側に設けられ、薬剤に接触した水を外部へ排水するための排水口と、を備え、取水口は、給水受皿の上面を流れる水に対して離間する高さ位置に設けられており、取水口の辺縁部には、給水受皿の上面を流れる水を取水口内へ取り込むための取水壁が下方に突出するように設けられていること、を特徴とする。
【００１０】
この薬剤供給具用容器では、例えば、給水受皿の上面を流れる水の少なくとも一部は、取水口内に直接流れ込まずにまず取水壁に当たり、取水壁に沿って上方へ駈け上がるように流れて取水口へと導かれ、そして、取水口内へと流れ込むこととなる。このように、取水口内に水が直接流れ込まないことから、容器内に水が過剰に流入するのを抑制することができる。これと共に、取水壁により取水口内へ水が積極的に取り込まれることから、容器内に流入する水量が不十分となるのを抑制することが可能となる。従って、本発明によれば、容器内に取り入れる水量を制御し、必要充分な量の水を容器内に取り入れることが可能となる。
【００１１】
また、載置部は、容器内において上方に隆起する底面から成り、且つ上方から見て中央から放射状に延在するように設けられた複数の延在部を有し、導水路は、隣接する一対の延在部間に画設された谷部により構成されていることが好ましい。この場合、導水路では、薬剤の下面と接触するように水が流通されるため、水が過剰に薬剤に接触することを抑制でき、薬剤を安定して溶出することが可能となる。
【００１２】
また、上方から見て延在部の外側に隣接し且つ取水口よりも内側の位置には、上方に突出する壁部が設けられていることが好ましい。これにより、取水口から過剰な水が万が一取り入れられた場合でも、導水路から溢れ出る過剰分の水が壁部の外側の壁面により堰き止められるため、過剰分の水が薬剤に直接接触するのを抑制することができる。
【００１３】
また、複数の延在部は、上方から見て中央に設けられた排水口から放射状に延在し、載置部は、排水口上に設けられ複数の延在部のうち一部の延在部をその内側で連結する連結部を有することが好ましい。これにより、例えば溶解により薬剤が小さくなった場合でも、薬剤は連結部で確実に載置されるため、薬剤が載置部から落下するのを防止することが可能となる。加えて、連結部が一部の延在部に連結されていることから、全ての延在部に連結される場合に比べ、排水口へ向けて流れる水が連結部で阻害されるのを抑制することができる。
【００１４】
また、取水壁は、その下端が給水受皿の上面に接触するように下方へ突出していることが好ましい。これにより、給水受皿の上面に流れる水の量が少ない場合でも、効率的に水を取水口内へ取り込むことができる。
【発明の効果】
【００１５】
本発明によれば、必要充分な量の水を容器内に取り入れることが可能となる。
【図面の簡単な説明】
【００１６】
【図１】一実施形態に係る薬剤供給具用容器を含む薬剤供給具を示す斜視図である。
【図２】図１の薬剤供給具の分解斜視図である。
【図３】図１の薬剤供給具用容器を示す上方斜視図である。
【図４】図１の薬剤供給具用容器を示す下方斜視図である。
【図５】図１の薬剤供給具用容器を示す平面図である。
【図６】図１の薬剤供給具用容器を示す底面図である。
【図７】図５のVII−VII線に沿っての断面図である。
【図８】図５のVIII−VIII線に沿っての断面図である。
【図９】図１の薬剤供給具用容器の使用状態を示す断面拡大図である。
【図１０】フラッシング試験の試験結果を示すグラフである。
【図１１】変形例に係る薬剤供給具用容器を示す上方斜視図である。
【発明を実施するための形態】
【００１７】
以下、本発明の好適な実施形態について、図面を参照して詳細に説明する。なお、以下の説明において同一又は相当要素には同一符号を付し、重複する説明を省略する。
【００１８】
図１は一実施形態に係る薬剤供給具用容器を含む薬剤供給具を示す斜視図であり、図２は図１の薬剤供給具の分解斜視図である。図１，２に示すように、本実施形態の薬剤供給具用容器１０は、トイレ用貯水タンク１の手洗い部としての給水受皿２の上面２ａに載置されるオンタンク式のものであり、薬剤供給具１００に用いられている。薬剤供給具１００は、この薬剤供給具用容器１０を容器本体として備えると共に、薬剤供給具用容器１０を保持する保持容器１１０と、保持容器１１０に着脱可能な上蓋１２０と、を備えている。
【００１９】
薬剤供給具用容器１０は、上方に開口し且つ中心軸Ｇを有する椀状外形を呈しており、給水受皿２の上方の蛇口３から供給された水の一部を容器内へと流通させる（詳しくは、後述）。この薬剤供給具用容器１０は、その内部に薬剤Ｍを収容する。薬剤供給具用容器１０の上端には、径方向外側に突出する鍔部３０が形成されている。鍔部３０の周方向三等配の位置には、保持容器１１０に係合される切欠部３１が設けられている。
【００２０】
薬剤Ｍとしては、例えば円錐台形状を呈する水溶性固形薬剤が用いられている。この薬剤Ｍは、洗浄成分、芳香成分、消臭成分、殺菌成分、除菌成分、着色成分及び漂白成分の少なくとも１つの成分を含んでいる。なお、薬剤Ｍの形状は限定されるものではなく、他の錐台形状や柱形状とすることができる。
【００２１】
保持容器１１０は、円環状の枠体であり、薬剤供給具１００の下容器を構成する。この保持容器１１０の内部下端において周方向三等配の位置には、薬剤供給具用容器１０を支持するためのものとして、上方に突出する支持片１１１が設けられている。また、保持容器１１０の下端で支持片１１１に対応する周方向三等配の位置には、給水受皿２に当接するものとして、下方へ突出する突起１１２が設けられている。
【００２２】
上蓋１２０は、扁平な皿形状を呈しており、薬剤供給具１００の上容器を構成する。この上蓋１２０には、薬剤Ｍの揮発性成分を外部へ拡散させるための揮散口１２１が複数形成されている。なお、揮散口１２１の外面側のエッジは、蛇口３から供給された水が降りかかった際に飛散しないように、滑らかな曲面形状を有している。
【００２３】
このように構成された薬剤供給具１００は、薬剤Ｍを収容した薬剤供給具用容器１０が保持容器１１０の内孔１１３に上方から内挿され、支持片１１１に切欠部３１が係合されることで、薬剤供給具用容器１０が保持容器１１０に保持状態で組み付けられた後、保持容器１１０に上蓋１２０が取り付けられて組み立てられる。そして、薬剤供給具１００は、給水受皿２の流し孔４上において、給水受皿２の上面２ａに対し薬剤供給具用容器１０の下端面及び保持容器１１０の突起１１２が当接され、これにより、給水受皿２に載置される。
【００２４】
なお、本実施形態の給水受皿２は、通常用いられる家庭用等の一般用のものとしており、給水受皿２の上面２ａは、流し孔４に向かってなだらかに下るように傾斜している。給水受皿２としては、これに限定されず、種々のタイプの給水受皿を用いることができる。また、本実施形態では、蛇口３から供給される水の流量が一般的な流量（例えば２Ｌ／ｍｉｎ〜９Ｌ／ｍｉｎ）に設定されているが、特に限定されず、節水型等に設定されていてもよい。また、蛇口３の位置は、薬剤供給具１００（薬剤供給具用容器１０）に水が直接降りかかる位置としてもよいし、降りかからない位置としてもよい。
【００２５】
図３〜８は、一実施形態に係る薬剤供給具用容器を示す各図である。図３〜８に示すように、薬剤供給具用容器１０は、截頭円錐外形を呈する容器下部１１と、容器下部１１の上端に一体に連設され上方側が拡径する略円筒状の本体部１２と、を具備している。この容器下部１１には、載置部１３、導水路１４、取水口１５及び排水口１６が設けられている。
【００２６】
載置部１３は、薬剤Ｍを載置する台座部として機能するものである。この載置部１３は、延在部１７と、連結部１８と、を含んで構成されている。延在部１７は、容器内において上方に隆起する底面により形成されている。この延在部１７は、上方から見て、中央から放射状に扇状を成して延在するように設けられている。
【００２７】
ここでの延在部１７は、後述の第１排水口１９の外周から容器下部１１の外周手前まで延設されている。延在部１７は、周方向に等間隔で複数（６つ）並置されている。これら複数の延在部１７の各上面１７ａは、中央に向かって下るよう傾斜する平面状とされている。
【００２８】
連結部１８は、容器内の中央部分（第１排水口１９上）に設けられ、複数の延在部１７のうちの一部をその径方向内側で連結する。ここでの連結部１８は、周方向に互いに隣接しない３つ延在部１７を連結しており、上方視においてＹ字状を呈している。この連結部１８の上面１８ａは、中心軸Ｇと直交する平面状であって延在部１７の上面１７ａに連続する平面状とされている。
【００２９】
導水路１４は、容器内に取り入れた水の流れを導く流路であり、隣接する一対の延在部１７，１７間に画設された谷部により構成されている。つまり、導水路１４は、延在部１７と同様に、上方から見て中央から放射状に扇状を成して延在するように設けられていると共に、周方向に等間隔で複数並置されている。これにより、上方視において容器内を周方向に等分割（ここでは、１２等分割）して成る複数の分割領域には、延在部１７と導水路１４とが周方向に交互に設けられる。
【００３０】
複数の導水路１４の底面１４ａは、中心軸Ｇと直交する平面状であって同一面上に位置する平面状とされている。導水路１４の延在距離（径方向の長さ）は、載置部１３の延在部１７よりも短くされている。例えば、好ましいとして、導水路１４の延在距離は、延在部１７の延在距離の２／３程度とされている。このような導水路１４は、容器内において載置部１３よりも低い高さ位置で径方向外側から内側に向かう方向に沿って延在し、載置部１３に載置された薬剤Ｍの下面と接触するように水を流通させる。
【００３１】
取水口１５は、給水受皿２の上面２ａを流れる水を容器内へ取り入れるための孔部である。この取水口１５は、複数の導水路１４の径方向外側に隣接して設けられており、当該導水路１４と連通する。取水口１５は、容器下部１１の外形に倣うような斜め下方に開口し、周方向に沿って延在するスリット状とされている。
【００３２】
排水口１６は、薬剤Ｍに接触した水を外部へ排水するための孔部であり、第１〜第３排水口１９〜２１を含んで構成されている。第１排水口１９は、容器下部１１の下端面に設けられ、下方へ開口する円形孔とされている。この第１排水口１９は、上方視において中央部分に位置し、複数の延在部１７の径方向内側に隣接するように形成されている。
【００３３】
第２排水口２０は、導水路１４の径方向内側に隣接する位置で且つ第１排水口１９の外側に設けられている。この第２排水口２０は、複数の導水路１４の底面１４ａにおける径方向内側を切り欠くようにして形成されている。
【００３４】
第３排水口２１は、複数の延在部１７の径方向内側に設けられている。この第３排水口２１は、複数の延在部１７の上面１７ａにおける径方向内側の一部を切り欠くようにして形成されている。ここでの第３排水口２１は、上記連結部１８が連結されていない延在部１７のみに形成されている。
【００３５】
ここで、本実施形態の取水口１５は、給水受皿２の上面２ａを流れる水に対して離間する高さ位置に設けられている（図９参照）。具体的には、取水口１５は、給水受皿２の上面２ａを流れる水の少なくとも一部が直接流れ込まないように、容器下部１１の下端から所定距離以上高い位置に設けられており、好ましいとして、５ｍｍ以上高い位置に設けられている。ここでは、取水口１５は、上下方向における薬剤供給具用容器１０の中央部下寄り位置に設けられている。
【００３６】
そして、この取水口１５における径方向内側の辺縁部には、給水受皿２の上面２ａを流れる水を取水口１５内へ取り込むための取水壁２２が、下方に真っ直ぐ突出するように設けられている。つまり、取水口１５の辺縁部には、導水路１４の底面１４ａと連続するように取水壁２２が垂下されている。この取水壁２２は、取水口１５の横幅全域に設けられている。具体的には、取水壁２２は、取水口１５の周方向一端から他端に亘って、取水口１５の形状に倣うように周方向に湾曲して延びている。
【００３７】
この取水壁２２は、複数の取水口１５の全てに設けられている。また、取水壁２２は、その下端が給水受皿２の上面２ａに接触するように下方へ突出している。ここでの取水壁２２の下端の高さ位置は、容器下部１１の下端よりも高くされている。
【００３８】
また、載置部１３の延在部１７における外周部には、壁部２３が立設されている。具体的には、上方から見て延在部１７の径方向外側に隣接し且つ取水口１５よりも径方向内側の位置に、上方に向かって真っ直ぐ突出する壁部２３が設けられている。この壁部２３は、周方向における延在部１７の一端から他端に亘り、周方向に沿って延在している。
【００３９】
以上のように構成された薬剤供給具用容器１０は、薬剤Ｍが載置部１３に載置されて収容された状態で給水受皿２の上面２ａに設置される。そして、蛇口３から水が供給された際、図９に示すように、例えば、上面２ａを流れる水Ｗの一部は、薬剤供給具用容器１０内を通過せずにそのまま流し孔４からトイレ用貯水タンク１へ流入される一方、上面２ａを流れる水Ｗの他部は、取水口１５を介して薬剤供給具用容器１０内へ取り入れられる。
【００４０】
取り入れられた水Ｗは、導水路１４によって薬剤Ｍの下方にて径方向外側から内側へと流れながら薬剤Ｍの下面と接触し、薬剤Ｍを適量だけ溶解・溶出させる。その後、薬剤Ｍの溶液は水Ｗとともに排水口１６から排出され、流し孔４からトイレ用貯水タンク１へ流入される。
【００４１】
ここで、本実施形態においては、上述したように、上面２ａを流れる水Ｗに対して離間する高さ位置に取水口１５が設けられており、この取水口１５の辺縁部には下方に突出する取水壁２２が設けられていることから、上面２ａを流れる水Ｗが薬剤供給具用容器１０内に取り入れられる際、当該水Ｗは、取水口１５内に直接流れ込まずに、まず取水壁２２に当たる。そして、流向が略９０°変えられ、取水壁２２に沿って上方へ垂直に駈け上がるように流れて取水口１５へと導かれ、取水口１５内へと必要量流れ込む。その後、流向が再び略９０°変えられ、導水路１４により径方向内側に向かって水平に流れることとなる。
【００４２】
従って、本実施形態によれば、取水口１５内に水Ｗが直接流れ込まないようにし、容器内に水Ｗが過剰に流入（オーバーフロー）するのを抑制しながら、取水壁２２により取水口１５内へ水Ｗが積極的に取り込まれるようにし、容器内に流入する水量が不十分となるのを抑制することができる。よって、容器内に取り入れる水量を好適に制御し、必要充分な量の水Ｗを容器内に取り入れることが可能となる。その結果、適切な量の薬剤Ｍを溶出することができ、薬剤Ｍの溶解性を安定させることが可能となる。
【００４３】
なお、取り込まれた水Ｗの流速が早い場合、薬剤Ｍが過度に溶出してしまうことが懸念されるが、本実施形態では、取水口１５及び取水壁２２により、この流速をも適当な速さに制御することができる。よって、この点においても、本実施形態は有効なものといえる。ちなみに、取水壁２２は、複数設けられており、さらに、取水口１５の横幅全域に設けられていることから、水Ｗを取水口１５内へ取り込むという取水壁２２の上記作用効果は効果的に奏される。
【００４４】
また、本実施形態では、上述したように、導水路１４において水Ｗが薬剤Ｍの下面と接触するように流通されるため、水Ｗが過剰に薬剤Ｍに接触するのを抑制することができ、薬剤Ｍを安定して溶出することが可能となる。
【００４５】
また、本実施形態では、上述したように、延在部１７の径方向外側に隣接し且つ取水口１５よりも径方向内側の位置に、壁部２３が設けられている。これにより、取水口１５から過剰な水Ｗが万が一取り入れられた場合、導水路１４から溢れ出る過剰分の水Ｗは壁部２３の外側の壁面により堰き止められる（プールされる）ため、過剰分の水Ｗが薬剤Ｍに直接接触するのを抑制することができ、薬剤Ｍの過度な溶解を防ぐことができる。なお、このとき、堰きとめられた過剰分の水Ｗは、例えば隣接する導水路１４の取水口１５へ向かって流れ、この取水口１５を介して外部へ排水されることになる。また、この壁部２３によれば、載置部１３に載置された薬剤Ｍを位置決めすることができ、薬剤Ｍの移動（ズレ）を防ぐことも可能となる。
【００４６】
また、本実施形態では、上述したように、容器内において中央部分の第１排水口１９上に、載置部１３の連結部１８が設けられている。よって、例えば溶解により薬剤Ｍが小さくなったときでも、薬剤Ｍが連結部１８で確実に載置され、薬剤Ｍが載置部１３から落下するのを防止できる。併せて、連結部１８は、一部の延在部１７のみに連結されて上方視Ｙ字状とされていることから、その欠けた部分から水Ｗを通して第１排水口１９へ流すことができる。よって、第１排水口１９へ向かって流れる水Ｗが連結部１８で阻害されるのを抑制できる。すなわち、連結部１８によれば、第１排水口１９からの排水を阻害することなく薬剤Ｍを確実に載置させることが可能となる。
【００４７】
また、本実施形態では、上述したように、取水壁２２の下端が給水受皿２の上面２ａに接触するように下方へ突出している。これにより、給水受皿２の上面２ａに流れる水の量が少ない場合でも、効率的に水Ｗを取水口１５内へ取り込むことができる。
【００４８】
また、本実施形態では、上述したように、導水路１４の延在距離が載置部１３の延在部１７よりも短くされているため、水Ｗが過剰に薬剤Ｍに接触することを一層抑制することができる。
【００４９】
ところで、薬剤Ｍの下面と接触させながら径方向外側から内側へ中心部まで水Ｗを流通させる場合、中心部で水Ｗの薬剤Ｍ濃度が過剰に高くなってしまう場合がある。この点、本実施形態では、上述したように、導水路１４の径方向内側に第２排水口２０がさらに設けられているため、薬剤Ｍ濃度が過剰に高くなる前の水Ｗを第２排水口から排水することができる。よって、排水される水Ｗの薬剤Ｍ濃度を適正に保つことが可能となる。
【００５０】
また、本実施形態では、上述したように、載置部１３の延在部１７の径方向内側に第３排水口２１がさらに設けられている。よって、過剰な水Ｗが容器内に取り入れられた場合でも、当該水Ｗを第３排水口２１を介して排出させることができ、薬剤供給具用容器１０の浮きを防止することが可能となる。
【００５１】
以上、説明した薬剤供給具用容器１０に関し、取水壁２２の有無による容器内への水Ｗの流入し易さについて、比較試験を行った。具体的には、上記薬剤供給具用容器１０である実施例と、取水壁２２を備えない以外は薬剤供給具用容器１０と同様な比較例と、を下記条件の下で使用し、フラッシング試験（薬剤供給具用容器１０を給水受皿２に設置し、洗浄を繰り返す試験）を行った。なお、ここでは、試験の便宜上、複数の取水口１５のうち１つ以外を閉塞して使用している。
＜条件＞
タンクのタイプ：Ｓ７９１Ｂ（ＴＯＴＯ株式会社社製，品番）
気温：２５℃
水温：２５℃
流水量：３Ｌ
フラッシングの間隔：１時間当たり１回（１日当たり２４回）
【００５２】
図１０は、フラッシング試験の試験結果を示すグラフである。図１０（ｂ）中の残量は、容器内の薬剤Ｍの残量を表し、図１０（ｂ）中の薬剤溶出量は、比較例の薬剤量を１００としたときの実施例の薬剤減少量を％表示で表している。図１０に示すように、本実施形態に係る実施例は、比較例に比べ薬剤流出量が多くなっている。これにより、取水壁２２を設けることで、給水受皿２の上面２ａを流れる水Ｗを容器内へ必要量取り入れ、薬剤Ｍを好適に溶解できる（すなわち、取水壁２２が設けられていないと、充分量の水Ｗが取り入れられず、薬剤Ｍの溶解が不十分になる）のを確認することができた。換言すると、比較例では、取水口１５から水Ｗが取り込まれ難くなっているのを確認することができた。
【００５３】
なお、図１０中において、試験初期の製剤減少量が小さいのは、薬剤Ｍが水Ｗを取り込み膨張したことによるものである。また、試験後期では、容器内に水Ｗが残存することや薬剤Ｍが一気に溶け出す現象が生じることから、フラッシング回数１００〜２００間付近が薬剤流出量の評価に適した箇所だと考えられる。
【００５４】
ちなみに、トイレ用貯水タンク１内の水Ｗの薬剤Ｍ濃度を吸光度で比較すると、実施例では吸光度が０．０２１であるのに対し、比較例では吸光度が０．００７であった。これによっても、本実施形態では、給水受皿２の上面２ａを流れる水Ｗを容器内へ必要量取り入れて薬剤Ｍを好適に溶解できることを確認することができた。
【００５５】
以上、本発明の好適な実施形態について説明したが、本発明は、上記実施形態に限られるものではなく、各請求項に記載した要旨を変更しない範囲で変形し、又は他のものに適用してもよい。
【００５６】
図１１は、変形例に係る薬剤供給具用容器を示す上方斜視図である。例えば図１１に示すように、変形例に係る薬剤供給具用容器２１０は、上記実施形態のように保持容器１１０及び上蓋１２０（図２参照）と共に用いられるものではなく、上蓋２２０が直接装着されて使用される。なお、この薬剤供給具用容器２１０は、流し孔４に嵌挿するためのものとして、下端面から下方へ突出する脚２１１を有している。上蓋２２０は、上記揮散口１２１（図２参照）を備えず、外部から上蓋２２０を介して水Ｗが流入しないよう構成されている。
【００５７】
このような変形例に係る薬剤供給具用容器２１０においても、容器内に取り入れる水量を制御し、必要充分な量の水Ｗを容器内に取り入れるという上記作用効果が奏される。ちなみに、変形例に係る薬剤供給具用容器２１０では、脚２１１が設けられていない場合もあり、一方で、上記実施形態の薬剤供給具用容器１０では、脚２１１が設けられていてもよい。
【００５８】
また、上記実施形態では、取水口１５がスリット状に形成されているが、例えば円形状や長円状とされていてもよい。さらにまた、上記実施形態では、取水口１５が斜め下方に開口されているが、横方向（径方向）や下方に開口されていてもよい。
【００５９】
また、上記実施形態では、取水口１５の内側の辺縁部に取水壁２２が設けられているが、例えば取水口１５が横方向に開口する場合には、当該取水口１５の下側の辺縁部に取水壁２２が設けられていればよく、つまり、導水路１４の底面１４ａと連続する側の辺縁部に取水壁２２が設けられていればよい。要は、取水壁２２は、給水受皿２の上面２ａを流れる水Ｗを取込み可能に取水口１５の辺縁部に設けられていればよい。
【００６０】
また、取水口１５が設けられる高さ位置は、上記に限定されるものではなく、例えば、給水受皿２の上面２ａの形状及び蛇口３から供給される水Ｗの流量等に基づいて、給水受皿２の上面２ａを流れる水に対し離間可能に適宜設定することができる。
【００６１】
また、上記施形態では、取水壁２２の下端が給水受皿２の上面２ａに接触しないように下方へ突出していてもよい。この場合、取水壁２２に当たった水Ｗの流れで容器自体がずれる又は倒れるのを抑制することが可能となる。
【００６２】
また、上記実施形態の薬剤供給具用容器１０では、上蓋１２０の揮散口１２１から流れ込んだ水が薬剤Ｍに直接あたるのを防止するため、載置された薬剤Ｍを覆うように例えば不織布やプラスティックフィルム等を貼り付けてもよいし、当該薬剤Ｍを収容するようにカップ状の成形品を別途設置してもよい。
【符号の説明】
【００６３】
１…トイレ用貯水タンク、２…給水受皿、２ａ…上面、１０…薬剤供給具用容器、１３…載置部、１４…導水路、１４ａ…導水路の底面、１５…取水口、１６…排水口、１７…延在部、１８連結部、２２…取水壁、２３…壁部、Ｍ…薬剤、Ｗ…水。
【図１】
0005844625.tif 000002
【図２】
0005844625.tif 000003
【図３】
0005844625.tif 000004
【図４】
0005844625.tif 000005
【図５】
0005844625.tif 000006
【図６】
0005844625.tif 000007
【図７】
0005844625.tif 000008
【図８】
0005844625.tif 000009
【図９】
0005844625.tif 000010
【図１０】
0005844625.tif 000011
【図１１】
0005844625.tif 000012